(57)【要約】      （修正有）【課題】内容物の排出が均一で、気密性が極めて良く、且つ混合して保存することができず、混合して使用する必要がある二種類の内容物を収容可能である化粧容器を提供する。【解決手段】内フレキシブル容器１０と、外フレキシブル容器２０と、バルブ３０と、排出装置４０と、キャップ５０とを含み、前記内フレキシブル容器１０は、内部には第一液体が充填され、その一端には第一開口１２が設けられ、前記外フレキシブル容器２０は、その内部には、第二液体と、前記内フレキシブル容器１０と、が設けられ、その一端には第二開口２２が設けられ、前記バルブ３０は、ブッシュ３１と、分流装置３２と、ピストンロッド３３と、を含み、前記排出装置４０は、前記ピストンロッド３３のロッドヘッド部３３１と連接し、前記キャップ５０は、収容空間と、圧迫縁と、を有し、前記外フレキシブル容器２０の結合部２３に結合されている。【選択図】図２
0003148348.tif 000002
【実用新案登録請求の範囲】
【請求項１】
内フレキシブル容器と、外フレキシブル容器と、バルブと、排出装置と、キャップと、を含む化粧容器において、
前記内フレキシブル容器は、内部には第一液体が充填されており、その一端には第一開口が設けられており、
前記外フレキシブル容器は、その内部には、第二液体と、前記内フレキシブル容器と、が設けられており、その一端には第二開口が設けられており、前記第一開口が前記第二開口の近傍に設けられており、前記第二開口の外縁には結合部が設けられており、
前記バルブは、ブッシュと、分流装置と、ピストンロッドと、を含み、前記ブッシュには排出穴が少なくとも一つ開設されており、前記外フレキシブル容器の前記第二開口の内縁には前記ブッシュが嵌め設けられており、前記ピストンロッドは、中空なものであり、ロッドヘッド部と、ロッド本体部と、を有し、前記ロッド本体部が前記ブッシュの内部に摺動自在であり、前記分流装置は、前記ロッド本体部の内部に固定されており、内流路と、外流路と、塞ぎブロックと、を含み、前記塞ぎブロックは前記内フレキシブル容器の前記第一開口を塞ぎ可能であり、
前記排出装置は、前記ピストンロッドの前記ロッドヘッド部と連接しており、
前記キャップは、収容空間と、圧迫縁と、を有し、前記外フレキシブル容器の結合部に結合されていることを特徴とする、化粧容器。
【請求項２】
更に、前記バルブはバネを含み、前記ピストンロッドの前記ロッド本体部には前記バネが嵌め設けられており、前記ブッシュには、その軸方向に沿って収容空間が開設されており、前記収容空間の内部には押付面が形成されており、前記ロッド本体部の外周面には係合部が凸設されており、前記バネの両端がそれぞれ前記押付面と前記係合部とに押し付けられていることを特徴とする、請求項１に記載の化粧容器。
【請求項３】
前記排出容器は、排出チューブと、台座と、を含み、前記台座は、前記排出チューブを挿通して前記ピストンロッドの前記ロッドヘッド部と結合しており、前記第一開口には円錐形状空間が形成されており、前記塞ぎブロックは、前記円錐形状空間に合い可能の円錐面を有し、前記第一開口を塞ぎ可能であることを特徴とする、請求項１に記載の化粧容器。
【考案の詳細な説明】
【技術分野】
【０００１】
本考案は化粧容器に係り、特に、内容物の排出が均一であり、気密性が極めて良く、且つ混合して保存することができなく、混合して使用することが必要である二種類の内容物を収容するための化粧容器に関するものである。
【背景技術】
【０００２】
内外フレキシブル容器から構成された従来の化粧容器は、図１０及び図１１に示すように、内フレキシブル容器７０と、外フレキシブル容器８０と、排出チューブ９０と、キャップと、を含む。しかし、このような化粧容器によれば、気密性が良くなく、キャップを被っても、外フレキシブル容器８０が圧迫されると、内容物が漏れ出し易く、且つその内容物が固化すると、排出穴が塞がれる。
【０００３】
また、このような従来の化粧容器によれば、キャップを被っても、外フレキシブル容器８０が圧迫されると、内容物が漏れ出してブラシなどに流し易く、且つその内容物が固化すると、ブラシなどが使用不能になる問題があった。さらに、このような従来の化粧容器によれば、気密性が良くないので、内容物がそのまま固化し、又は変質し易い。
【考案の開示】
【考案が解決しようとする課題】
【０００４】
本考案の主な目的は、気密性が良く、キャップを破り、外フレキシブル容器が圧迫されても、内容物が漏れ出さなく、排出穴が塞がれない化粧容器を提供することにある。
【０００５】
本考案の次の目的は、気密性が良く、キャップを破り、外フレキシブル容器が圧迫されても、内容物が漏れ出してブラシなどに流れることがなく、ブラシなどの使用が可能になる化粧容器を提供することにある。
【０００６】
本考案のもう一つの目的は、内容物の排出が均一であり、内容物が逆流しなく、気密性が極めて良く、内容物がそのまま固化し、又は変質しない化粧容器を提供することにある。
【課題を解決するための手段】
【０００７】
本考案の請求項１に記載の化粧容器によると、内フレキシブル容器と、外フレキシブル容器と、バルブと、排出装置と、キャップと、を含む化粧容器において、前記内フレキシブル容器は、内部には第一液体が充填されており、その一端には第一開口が設けられており、前記外フレキシブル容器は、その内部には、第二液体と、前記内フレキシブル容器と、が設けられており、その一端には第二開口が設けられており、前記第一開口が前記第二開口の近傍に設けられており、前記第二開口の外縁には結合部が設けられており、前記バルブは、ブッシュと、分流装置と、ピストンロッドと、を含み、前記ブッシュには排出穴が少なくとも一つ開設されており、前記外フレキシブル容器の前記第二開口の内縁には前記ブッシュが嵌め設けられており、前記ピストンロッドは、中空なものであり、ロッドヘッド部と、ロッド本体部と、を有し、前記ロッド本体部が前記ブッシュの内部に摺動自在であり、前記分流装置は、前記ロッド本体部の内部に固定されており、内流路と、外流路と、塞ぎブロックと、を含み、前記塞ぎブロックは前記内フレキシブル容器の前記第一開口を塞ぎ可能であり、前記排出装置は、前記ピストンロッドの前記ロッドヘッド部と連接しており、前記キャップは、収容空間と、圧迫縁と、を有し、前記外フレキシブル容器の結合部に結合されていることを特徴とする化粧容器である。
【０００８】
本考案の請求項２に記載の化粧容器によると、更に、前記バルブはバネを含み、前記ピストンロッドの前記ロッド本体部には前記バネが嵌め設けられており、前記ブッシュには、その軸方向に沿って収容空間が開設されており、前記収容空間の内部には押付面が形成されており、前記ロッド本体部の外周面には係合部が凸設されており、前記バネの両端がそれぞれ前記押付面と前記係合部とに押し付けられている。
【０００９】
本考案の請求項３に記載の化粧容器によると、前記排出容器は、排出チューブと、台座と、を含み、前記台座は、前記排出チューブを挿通して前記ピストンロッドの前記ロッドヘッド部と結合しており、前記第一開口には円錐形状空間が形成されており、前記塞ぎブロックは、前記円錐形状空間に合い可能の円錐面を有し、前記第一開口を塞ぎ可能である。
【考案の効果】
【００１０】
本考案の化粧容器によれば、次のような効果がある。
（１）気密性が良く、キャップを破り、外フレキシブル容器が圧迫されても、内容物が漏れ出されず、排出穴が塞がれない。
【００１１】
（２）気密性が良く、キャップを破り、外フレキシブル容器が圧迫されても、内容物が漏れ出してブラシなどに流れることがなく、ブラシなどの使用が可能になる。
【００１２】
（３）内容物の排出が均一であり、内容物が逆流せず、気密性が極めて良く、内容物がそのまま固化し、又は変質しない。
【考案を実施するための最良の形態】
【００１３】
以下、本考案の実施の形態を図面に基づいて説明する。
【実施例１】
【００１４】
まず、図１乃至図４を参照する。本考案に係る化粧容器は、内フレキシブル容器１０と、外フレキシブル容器２０と、バルブ３０と、排出装置４０と、キャップ５０と、を含む。内フレキシブル容器１０は、内部には第一液体１１が充填されており、その一端には円錐形状空間が形成された第一開口１２が設けられており、外フレキシブル容器２０は、その内部には、第二液体２１と、内フレキシブル容器１０と、が設けられており、その一端には第二開口２２が設けられており、第一開口１２が第二開口２２の近傍に設けられており、第二開口２２の外縁には結合部２３が設けられており、結合部２３は螺合部であってもよい。
【００１５】
バルブ３０は、ブッシュ３１と、分流装置３２と、ピストンロッド３３と、を含み、ブッシュ３１には排出穴３１１が少なくとも一つ開設されており、外フレキシブル容器２０の第二開口２２の内縁にはブッシュ３１が嵌め設けられており、ピストンロッド３３は、中空なものであり、ロッドヘッド部３３１と、ロッド本体部３３２と、を有し、ロッド本体部３３２がブッシュ３１の内部に摺動自在であり、分流装置３２は、ロッド本体部３３２の内部に固定されており、内流路と、外流路と、塞ぎブロック３２３と、を含み、塞ぎブロック３２３は内フレキシブル容器１０の第一開口１２を塞ぎ可能である。更に、バルブ３０はバネ３４を含み、ピストンロッド３３のロッド本体部３３２にはバネ３４が嵌め設けられており、ブッシュ３１は、その軸方向に沿って収容空間が開設されており、前記収容空間の内部には押付面が形成されており、ロッド本体部３３２の外周面には係合部が凸設されており、バネ３４の両端がそれぞれ前記押付面と前記係合部とに押し付けられている。
【００１６】
排出装置４０は、ピストンロッド３３のロッドヘッド部３３１と連接しており、排出チューブ４１と、台座４２と、を含み、台座４２は、排出チューブ４１を挿通してピストンロッド３３のロッドヘッド部３３１と結合している。
【００１７】
キャップ５０は、収容空間５１と、圧迫縁５２と、を有し、外フレキシブル容器２０の結合部２３に結合されており、キャップ５０を緩めてピストンロッド３３を引出して外フレキシブル容器２０及び内フレキシブル容器１０を圧迫すると、内フレキシブル容器１０の第一開口１２が外フレキシブル容器２０の第二開口２２と連通するようになり、そしてキャップ５０を締めると、内フレキシブル容器１０の第一開口１２が外フレキシブル容器２０の第二開口２２と連通しないようになる。
【００１８】
次に、本考案の使用状態を説明する。まず、キャップ５０を緩めると、バネ３４の弾力によりピストンロッド３３が付勢されて移動し、これにより、外フレキシブル容器２０が排出穴３１１及び前記外流路と連通すると共に、内フレキシブル容器１０の塞ぎブロック３２３が第一開口１２から離れ、更に、内フレキシブル容器１０が分流装置３２の前記内流路と連通するようになり、このように、内フレキシブル容器１０と外フレキシブル容器２０とから内容物が同時に排出可能である。
【００１９】
また、化粧容器を使用しない場合には、キャップ５０を締めると、ブッシュ３１の排出穴３１１がピストンロッド３３のロッド本体部３３２に塞がれ、且つ塞ぎブロック３２３が第一開口１２を塞ぎ、そうすると、内容物の逆流を防止することができ、気密性を向上することができる。なお、本考案に係る化粧容器は、混合して保存することができなく、混合して使用することが必要である二種類の内容物を収容するためのものである。
【実施例２】
【００２０】
本考案に係る化粧容器は、図５に示すように、排出装置がブラシ４３を含む。
【実施例３】
【００２１】
本考案に係る化粧容器は、図６に示すように、排出装置がゼリー排出ヘッド４４を含み、ゼリー排出ヘッド４４には穴が一つ開設されている。
【実施例４】
【００２２】
本考案に係る化粧容器は、図７に示すように、排出装置はゼリー排出ヘッド４５を含み、ゼリー排出ヘッド４５には穴が複数に開設されている。
【実施例５】
【００２３】
本考案に係る化粧容器は、図８に示すように、排出装置はシリコン（Silicone）製のブラシ４６を含む。
【実施例６】
【００２４】
本考案に係る化粧容器は、図９に示すように、排出装置は玉式排出構造４７を含む。
【図面の簡単な説明】
【００２５】
【図１】本考案の実施例１に係る化粧容器の組立状態の模式図
【図２】本考案の実施例１に係る化粧容器の分解斜視図
【図３】本考案の実施例１に係る化粧容器が閉められた状態の断面図
【図４】本考案の実施例１に係る化粧容器が開けられた状態の断面図
【図５】本考案の実施例２に係る化粧容器の組立状態の模式図
【図６】本考案の実施例３に係る化粧容器の組立状態の模式図
【図７】本考案の実施例４に係る化粧容器の組立状態の模式図
【図８】本考案の実施例５に係る化粧容器の組立状態の模式図
【図９】本考案の実施例６に係る化粧容器の組立状態の模式図
【図１０】内外フレキシブル容器から構成された従来の化粧容器の外観図
【図１１】内外フレキシブル容器から構成された従来の化粧容器の一部の断面図
【符号の説明】
【００２６】
１０    内フレキシブル容器
１１    第一液体
１２    第一開口
２０    外フレキシブル容器
２１    第二液体
２２    第二開口
２３    結合部
３０    バルブ
３１    ブッシュ
３１１  排出穴
３２    分流装置
３２３  塞ぎブロック
３３    ピストンロッド
３３１  ロッドヘッド部
３３２  ロッド本体部
３４    バネ
４０    排出装置
４１    排出チューブ
４２    台座
４３    ブラシ
４４    ゼリー排出ヘッド
４５    ゼリー排出ヘッド
４６    ブラシ
４７    玉式排出構造
５０    キャップ
５１    収容空間
５２    圧迫縁
７０    内フレキシブル容器
８０    外フレキシブル容器
９０    排出チューブ
【図１】
0003148348.tif 000003
【図２】
0003148348.tif 000004
【図３】
0003148348.tif 000005
【図４】
0003148348.tif 000006
【図５】
0003148348.tif 000007
【図６】
0003148348.tif 000008
【図７】
0003148348.tif 000009
【図８】
0003148348.tif 000010
【図９】
0003148348.tif 000011
【図１０】
0003148348.tif 000012
【図１１】
0003148348.tif 000013